(57)【要約】【課題】構造が簡単で且つ操作が簡単である手品具を提供すること。【解決手段】指を挿通可能な大きさの孔２ａが底面部に設けられた箱本体２と、箱本体２の上面の開口を閉じるための蓋３と、箱本体２の底面と略同一形状の中板４と、から構成されている。【選択図】　図１
2004097347.tif 000002
【特許請求の範囲】
【請求項１】
指を挿通可能な大きさの孔が底面部に設けられた箱本体と、
該箱本体の上面の開口を閉じるための蓋と、
前記箱本体の底面と略同一形状の中板と、
から構成されていることを特徴とする物体出現消失トリック手品具。
【請求項２】
前記蓋の開口した下面と前記中板とは略同一形状であり、前記中板が前記蓋の内側に嵌脱自在に嵌め込むことができるよう構成されていることを特徴とする請求項１に記載の物体出現消失トリック手品具。
【請求項３】
前記蓋は、当該蓋の上面を押した際に弾性変形し、蓋の内側に嵌め込まれた中板が蓋から外れて落下するよう構成されていることを特徴とする請求項１又は２に記載の物体出現消失トリック手品具。
【発明の詳細な説明】
【０００１】
【発明の属する技術分野】
本発明は、内部に何も入っていなかった箱の蓋を開けた時に、前記箱の内部に物体が出現したりあるいは出現した物体が消失したりするように見える錯覚を相手に与える物体出現消失トリック手品具に関するものである。
【０００２】
【従来の技術】
現在、図８（ａ）に示すような指出現トリック手品具１１が知られている。この従来の指出現トリック手品具１１は、指を挿通可能な大きさの孔１２ａが底面部に設けられた箱本体１２と、該箱本体１２の上面の開口を閉じるための蓋１３とから構成されている。
【０００３】
以上の構成の手品具１１を用い、手品を行う者（以下、操作者という）は、次のような操作を行う。まず蓋１３をした状態で、孔１２ａから指（図では中指）を箱本体１２の内部に挿入し、挿入した中指を箱本体１２の底面に接触させた状態に折り曲げておく。この時、中指以外の四本の指で箱本体１２を把持した状態となっている。このような状態で操作者が蓋１３を開けると、観覧者には図８（ｂ）のように、恰も箱本体１２の内部に本物の人間の指が入っていると錯覚を与えることができる。
【０００４】
【発明が解決しようとする課題】
しかしながら、従来技術によれば、観覧者に対して、蓋が閉じた状態の箱を開けると箱内部に本物の人間の指が入っているという錯覚を与えるだけで、観覧者に対して更なる不可思議さを与えることはできなかった。
【０００５】
そこで本発明の目的は、上記課題を解決し、構造が簡単で且つ操作が簡単であり、予め箱の内部に何も入っていない状態を観覧者に確認させた上で、前記箱の内部に本物の人間の指のみならず他の物体についても恰も出現したかのような不可思議さを観覧者に与えるだけでなく、出現した物体が恰も消失したかのような不可思議さ等をも観覧者に与えることのできる物体出現消失トリック手品具を提供することにある。
【０００６】
【課題を解決するための手段】
上記目的を達成するために、本発明の物体出現消失トリック手品具は、指を挿通可能な大きさの孔が底面部に設けられた箱本体と、該箱本体の上面の開口を閉じるための蓋と、前記箱本体の底面と略同一形状の中板と、から構成されている。
【０００７】
また上記目的を達成するために、本発明の物体出現消失トリック手品具において、前記蓋の開口した下面と前記中板とは略同一形状であり、前記中板が前記蓋の内側に嵌脱自在に嵌め込むことができるよう構成されていることが望ましく、さらに前記蓋が、当該蓋の上面を押した際に弾性変形し、蓋の内側に嵌め込まれた中板が蓋から外れて落下するよう構成されていることが望ましい。
【０００８】
【発明の実施の形態】
以下、本発明の物体出現消失トリック手品具の一実施形態について、図面を参照して説明する。
【０００９】
［物体出現消失トリック手品具の構成］
まず、本実施形態に係る物体出現消失トリック手品具１の構成を図１を参照して説明する。本実施形態に係る物体出現消失トリック手品具１は、図１に示すように、指を挿通可能な大きさの孔２ａが底面部に設けられた箱本体２と、該箱本体２の上面の開口を閉じるための蓋３と、箱本体２の底面と略同一形状の中板４と、から構成されている。
【００１０】
ここで、前記中板４と前記蓋３の開口した下面とは略同一形状であり、前記中板４は前記蓋３の内側に嵌脱自在に嵌め込むことができるようになっている。また、中板４の上面と箱本体２の底面部上面とは同一色となっている。
【００１１】
また前記蓋３は、後述の如く蓋３の上面を押した際に弾性変形し、当該蓋３の内側に嵌め込まれていた中板４が蓋３から外れて落下するように構成されていれば良く、例えば図１のように、当該蓋３の上面における対向する一対の側縁部に曲面が設けられている。尚、本実施形態に係る物体出現消失トリック手品具１では、蓋３の上面における長手方向の一対の側縁部にのみ曲面部が設けられているが、上面側縁部全体を曲面としても良い。また弾性変形する材料を用い、当該蓋３の内側に嵌め込まれていた中板４が蓋３から外れて落下するようにこの蓋３を作製しても良い。
【００１２】
［物体出現消失トリック手品具の操作手順］
以上のように、本実施形態に係る物体出現消失トリック手品具１は構成されている。以下、上記構成の物体出現消失トリック手品具１を用いた手品の操作手順について、図２から図４を参照して説明する。
【００１３】
まず操作者は、中板４を入れて蓋３を閉じた状態の箱本体２を観覧者の前に差し出し、蓋３を箱本体２から外して箱本体２の内部を観覧者に見せる。この時、箱本体２の底面部に設けられた孔２ａは図２のように中板４で隠されているため、観覧者には、孔２ａの設けられていない箱の内部には何も入っていないと判断される。
【００１４】
続いて操作者は、箱本体２を蓋３で閉じる。そして箱本体２を把持し、図３のように孔２ａから指（本実施形態では中指）を箱本体２の内部に挿入し、挿入した中指で中板４を上方向に押し上げて当該中板４を蓋３の内側に嵌め込む。こうして中板４を蓋３の内側に嵌め込んだ後に、挿入した中指を箱本体２の底面に接触させた状態に折り曲げておく。この時、挿入した中指以外の四本の指で箱本体２を把持した状態となっている。以上のような操作を行った後に操作者が蓋３を開けると、中板４の上面と箱本体２の底面部上面とは同一色となっていることから、観覧者には図４のように、何も入っていなかった箱の中に恰も本物の人間の指が出現してきたと錯覚を与えることができる。
【００１５】
さらに、蓋３を閉じてから挿入した中指を箱本体２の内部から外部へ抜き出し、しかる後に蓋３の上面を軽く押す。すると、蓋３の上面の側縁部に曲面が設けられているために蓋３が弾性変形し、その結果、蓋３の内側に嵌め込まれていた中板４が蓋３から外れ、箱本体２の底面部に落下する。
【００１６】
そして上記操作の後、操作者が蓋３を開けると、中板４の落下により箱本体２の内部は図２の状態に戻るため、観覧者には何も入っていない箱本体２の内部が示される。よって、この観覧者には、先程出現した本物の人間の指が一瞬にして箱の中から消えてしまったと錯覚を与えることができる。
【００１７】
以上のように、本実施形態に係る物体出現消失トリック手品具１によれば、予め箱の内部に何も入っていない状態を観覧者に確認させた上で、前記箱の内部に本物の人間の指が恰も出現したかのような不可思議さを観覧者に与えることができる。また同時に、その出現した指がまた箱の中から消えてしまったかのような不可思議さをも観覧者に与えることができる。
【００１８】
［第二実施形態］
また上記第一実施形態では、本物の人間の指が出現したり消えたりするように見える錯覚を観覧者に与えているが、例えば図５のように中板４の上面に予め人間の指を象った模型５を備えておいても良い。
【００１９】
この場合には操作者は、上記第一実施形態と同様に操作を行うことで、模型の指５が本物の人間の指に変化したり元の模型の指５に戻ったりするという錯覚を、観覧者に与えることができる。具体的には、まず操作者が、上面に人間の指を象った模型５を具備する中板４を入れて蓋３を閉じた状態の箱本体２を観覧者の前に差し出し、蓋３を箱本体２から外して箱の内部を観覧者に見せる。この時、箱本体２の底面部に設けられた孔２ａは中板４で隠されており、観覧者には、箱の内部には人間の指を象った模型５のみが入っていると判断される。
【００２０】
続いて操作者は、箱本体２を蓋３で閉じて箱本体２を把持し、図３の如く孔２ａから指（本実施形態では中指）を箱本体２の内部に挿入し、挿入した中指で中板４を上方向に押し上げて当該中板４を蓋３の内側に嵌め込む。こうして中板４を蓋３の内側に嵌め込んだ後に、挿入した中指を箱本体２の底面に接触させた状態に折り曲げておく。この時、中指以外の四本の指で箱本体２を把持した状態となっている。以上のような操作を行った後に操作者が蓋３を開けると、観覧者には図４のように、恰も人間の指を象った模型５が本物の人間の指に変化したと錯覚を与えることができる。
【００２１】
さらに、蓋３を閉じてから挿入した中指を箱本体２の内部から外部へ抜き出し、しかる後に蓋３の上面を軽く押す。すると、上述のような弾性変形により、蓋３の内側に嵌め込まれていた中板４が蓋３から外れ、箱本体２の底面部に落下する。そして上記操作の後、操作者が蓋３を開けると、中板４の落下により箱本体２の内部は図５の状態に戻るため、観覧者には、先程出現した本物の人間の指が一瞬にして、また元の模型の指５に戻ってしまったと錯覚を与えることができる。
【００２２】
［第三実施形態］
ここで、上記第一及び第二実施形態では、人間の指を出現させる、あるいは人間の指を象った模型５を本物の人間の指に変化させる、というように、人間の指に関する手品であったが、本発明の物体出現消失トリック手品具１によれば、人間の指以外の物体を用いた手品を行うこともできる。以下、具体例を挙げて説明する。
【００２３】
例えば、まず操作者が、図６（ａ）のように中板４の下に予め千円札等の紙幣６を入れて蓋３を閉じた状態の箱本体２を観覧者の前に差し出し、蓋３を箱本体２から外して箱の内部を観覧者に見せる。この時、箱本体２の底面部に設けられた孔２ａは中板４で隠されており、観覧者には、図２のように内部には何も入っていない箱が示される。
【００２４】
続いて操作者は、箱本体２を蓋３で閉じ、孔２ａから指（本実施形態では中指）を箱本体２の内部に挿入し、挿入した中指で中板４を上方向に押し上げて当該中板４を蓋３の内側に嵌め込む。こうして中板４を蓋３の内側に嵌め込んだ後に、挿入した中指を箱本体２の内部から外部へ引き抜いておく。以上のような操作を行った後に操作者が蓋３を開けると、観覧者には、図６（ｂ）のように何も入っていなかった箱の中に恰も本物の紙幣６が出現してきたと錯覚を与えることができる。
【００２５】
さらに、蓋３を閉じた後にその蓋３の上面を軽く押すと、弾性変形により蓋３の内側に嵌め込まれていた中板４が蓋３から外れ、箱本体２の底面部に落下する。そして上記操作の後、操作者が蓋３を開けると、中板４の落下により箱本体２の内部は図２の状態に戻るため、観覧者には、先程出現した紙幣６が一瞬にして箱の中から消えてしまったと錯覚を与えることができる。
【００２６】
尚、この第三実施形態において、以下のような操作を行うこともできる。まず操作者が、図６（ａ）のように中板４の下に予め紙幣６を入れて蓋３を閉じた状態の箱本体２を観覧者の前に差し出し、蓋３を箱本体２から外して箱の内部を観覧者に見せる。この時、箱本体２の底面部に設けられた孔２ａは中板４で隠されており、観覧者には、図２のように内部には何も入っていない箱が示される。
【００２７】
続いて操作者は、図７のように紙幣６と略同一の大きさの普通紙７を折り曲げて箱本体２の中に入れ、箱本体２を蓋３で閉じる。そして、箱を把持してから箱本体２における底面部の孔２ａから指（本実施形態では中指）を箱本体２の内部に挿入し、挿入した中指で中板４を上方向に押し上げて当該中板４を蓋３の内側に嵌め込む。こうして中板４を蓋３の内側に嵌め込んだ後に、挿入した中指を箱本体２の内部から外部へ引き抜いておく。以上のような操作を行った後に操作者が蓋３を開けると、観覧者には、図６（ｂ）のように恰も普通紙７が紙幣６に変化したと錯覚を与えることができる。尚、紙幣６と略同一の大きさの普通紙７を折り曲げて箱本体２の中に入れる操作は、操作者が行うだけでなく、観覧者に行ってもらっても良い。
【００２８】
さらに、蓋３を閉じた後にその蓋３の上面を軽く押すと、蓋３の弾性変形により蓋３の内側に嵌め込まれていた中板４が蓋３から外れ、箱本体２の底面部に落下する。そして上記操作の後、操作者が蓋３を開けると、中板４の落下により箱本体２の内部は図７の状態に戻るため、観覧者には、先程出現した紙幣６が一瞬にして、また元の普通紙７に戻ってしまったと錯覚を与えることができる。
【００２９】
尚、本実施形態では紙幣６を用いているが、他の物体を用いて同様の操作を行っても、観覧者に同様の錯覚を与えることができるのは言うまでもない。
【００３０】
このように、本発明の物体出現消失トリック手品具１によれば、人間の指以外の物体を出現させる、その物体を消去させる、あるいは収納した物体を他の物体に変化させる、といった手品を行うことができる。
【００３１】
【発明の効果】
以上に述べたように、本発明の物体出現消失トリック手品具は、指を挿通可能な大きさの孔が底面部に設けられた箱本体と、該箱本体の上面の開口を閉じるための蓋と、箱本体の底面と略同一形状の中板と、から成るものであり、極めて構造が簡単である。
【００３２】
また、本発明の物体出現消失トリック手品具によれば、人間の指等の物体を出現させる、その物体を消去させる、あるいは収納した物体を他の物体に変化させるといった不可思議さを観覧者に与えることができ、且つその操作が簡単である。さらに、操作者の操作のみならず、観覧者にも操作を行ってもらうことができ、観覧者自ら箱本体に収容したはずの物体が、箱から消えてしまう、あるいは他の物体に変化してしまうといった不可思議さをも与えることができる。
【図面の簡単な説明】
【図１】本発明の一実施形態に係る物体出現消失トリック手品具の構成部品を示す図である。
【図２】本実施形態の物体出現消失トリック手品具を用いた操作において、最初の操作で操作者が観覧者に見せる構成部品の状態を示す図である。
【図３】図２の状態の後に操作者が行う操作を説明するための図である。
【図４】本実施形態の物体出現消失トリック手品具を用いて操作して得られた最終結果の状態を示す図である。
【図５】本発明の第二実施形態に係る物体出現消失トリック手品具の構成部品を示す図である。
【図６】本発明の第三実施形態に係る物体出現消失トリック手品具を用いた操作を説明するための図であり、図６（ａ）は構成部品を示す図、図６（ｂ）は操作して得られた結果の状態を示す図である。
【図７】本発明の第三実施形態に係る物体出現消失トリック手品具を用いた操作の応用例を説明するための図である。
【図８】従来の指出現トリック手品具を説明するための図であり、図８（ａ）は構成部品を示す図、図８（ｂ）は操作して得られた最終結果の状態を示す図である。
【符号の説明】
１…物体出現消失トリック手品具、２…箱本体、２ａ…孔、３…蓋、４…中板、５…人間の指を象った模型（模型の指）、６…紙幣、７…普通紙。
【図１】
2004097347.tif 000003
【図２】
2004097347.tif 000004
【図３】
2004097347.tif 000005
【図４】
2004097347.tif 000006
【図５】
2004097347.tif 000007
【図６】
2004097347.tif 000008
【図７】
2004097347.tif 000009
【図８】
2004097347.tif 000010